(57)【要約】【課題】性能をより活用することのできるように、記録装置の環境変化に応じた動作制御を行う【解決手段】ＨＤＤ監視部２５は、ＨＤＤ環境センサ８の出力が表すＨＤＤ環境が正常動作保証範囲内にあるかどうかを監視し、ＨＤＤ環境が正常動作保証範囲外となったならば、ＨＤＤ５のリードエラーとライトエラーの発生回数を計数し、所定回数を超えたならば、ＨＤＤ５に対するアクセスを禁止する。ＨＤＤ監視部２５は、ＨＤＤ環境が正常動作保証範囲内に復帰するのを監視し、正常動作保証範囲内に復帰したならば、ＨＤＤ５のアクセスの禁止を解除し、ＨＤＤ環境が正常動作保証範囲内にあるかどうかの監視に戻る。【選択図】図２
2004259324.tif 000002
【特許請求の範囲】
【請求項１】
情報を記録する記録装置へのアクセス動作を制御する記録装置の動作制御装置であって、
前記記録装置の環境の状態を検出する検出装置と、
前記検出装置が検出した前記環境の状態が、所定の正常環境状態から逸脱した場合に、前記記録装置へのアクセスのエラー発生レベルを監視するエラー監視手段と、
前記エラー監視手段が監視しているアクセスのエラーの発生レベルが、所定レベルを超えた場合に、前記記録装置へのアクセスを禁止するアクセス禁止手段とを有することを特徴とする  記録装置の動作制御装置。
【請求項２】
請求項１記載の記録装置の動作制御装置であって、
前記アクセス禁止手段は、前記アクセスを禁止した後に、前記検出装置が検出した前記環境の状態が、所定の正常環境状態に復帰した場合に、前記アクセスの禁止を解除することを特徴とする記録装置の動作制御装置。
【請求項３】
請求項２記載の記録装置の動作制御装置であって、
前記アクセス禁止手段が前記アクセスを禁止した時点で行われていた前記記録装置へのアクセスを、前記アクセス禁止手段が前記アクセスの禁止を解除した後に再実行するアクセス再実行手段を有することを特徴とする記録装置の動作制御装置。
【請求項４】
請求項１、２または３記載の記録装置の動作制御装置であって、
前記検出装置が検出する前記記録装置の環境の状態は、前記記録装置または前記記録装置の周辺の温度であって、前記所定の正常環境状態は、所定の温度範囲内に、前記記録装置または前記記録装置の周辺の温度が存在する状態であることを特徴とする記録装置の動作制御装置。
【請求項５】
請求項１，２または３記載の記録装置の動作制御装置であって、
前記検出装置が検出する前記記録装置の環境の状態は、前記記録装置の周辺の湿度であって、前記所定の正常環境状態は、所定の湿度範囲内に、前記記録装置または前記記録装置の周辺の湿度が存在する状態であることを特徴とする記録装置の動作制御装置。
【請求項６】
請求項１，２または３記載の記録装置の動作制御装置であって、
前記検出装置が検出する前記記録装置の環境の状態は、前記記録装置に加わる振動レベルであって、前記所定の正常環境状態は、所定の振動レベル範囲内に、前記記録装置に前記記録装置に加わる振動レベルが存在する状態であることを特徴とする記録装置の動作制御装置。
【請求項７】
記録する記録装置へのアクセス動作を制御する記録装置の動作制御方法であって、
前記記録装置の環境の状態を検出するステップと、
検出した前記環境の状態が、所定の正常環境状態から逸脱した場合に、前記記録装置へのアクセスのエラー発生レベルを監視するステップと、
監視しているアクセスのエラーの発生レベルが、所定レベルを超えた場合に、前記記録装置へのアクセスを禁止するステップとを有することを特徴とする記録装置の動作制御方法。
【請求項８】
コンピュータによって読みとられ実行されるコンピュータプログラムであって、
当該コンピュータプログラムは、前記コンピュータに、
前記記録装置の環境の状態を検出するステップと、
検出した前記環境の状態が、所定の正常環境状態から逸脱した場合に、前記記録装置へのアクセスのエラー発生レベルを監視するステップと、
監視しているアクセスのエラーの発生レベルが、所定レベルを超えた場合に、前記記録装置へのアクセスを禁止するステップとを実行させることを特徴とするコンピュータプログラム。
【発明の詳細な説明】
【０００１】
【発明の属する技術分野】
本発明は、車載等の厳環境下で使用される、ハードディスクドライブ等の記録装置に対するアクセス動作を記録装置の環境に応じて制御する技術に関するものである。
【０００２】
【従来の技術】
厳環境下で使用される記録装置に対するアクセス動作を環境変化に応じて制御する技術としては、記録装置の温度を監視し、記録装置の温度が予め定めた記録装置の動作保証温度以上となったならば記録装置へのアクセスを禁止すると共に、その後、記録装置の温度が動作保証温度未満の所定の温度以下に復帰したならば、記録装置のアクセス動作を再開することにより、記録装置の異常動作や破損を回避する技術が知られている（たとえば、特開２００１−２５６７１４号公報）。
【０００３】
この出願の発明に関連する先行技術文献情報としては以下のものがある。
【０００４】
【特許文献１】
特開２００１−２５６７１４号公報
【０００５】
【発明が解決しようとする課題】
前記従来の技術によれば、記録装置の温度が、その記録装置と同種（同型番）の記録装置に対して予め定めた動作保証温度以上となったならば、記録装置へのアクセスは無条件に禁止される。
しかしながら、同種の記録装置であっても、記録装置が正常に動作可能な温度範囲は個体差が有り個々に異なる。そして、ある記録装置の動作保証温度範囲は、その記録装置と同種の記録装置の全てが正常に動作可能な狭い範囲に設定されている。
【０００６】
すなわち、個々の記録装置についてみれば、動作保証温度以上の温度でも正常に動作可能な記録装置が存在する。したがって、前記従来の技術によって、動作保証温度以上の温度となった時に無条件に記録装置へのアクセスを禁止したのでは、このような記録装置の性能を充分に活用することができなくなってしまう。
【０００７】
そこで、本発明は、記録装置の性能をより活用することのできるように、環境変化に記録装置に対するアクセス動作の制御を行うことを課題とする。
【０００８】
【課題を解決するための手段】
前記課題達成のために、本発明は、情報を記録する記録装置へのアクセス動作を制御する記録装置の動作制御装置として、前記記録装置の環境の状態を検出する検出装置と、前記検出装置が検出した前記環境の状態が、所定の正常環境状態から逸脱した場合に、前記記録装置へのアクセスのエラー発生レベルを監視するエラー監視手段と、前記エラー監視手段が監視しているアクセスのエラーの発生レベルが、所定レベルを超えた場合に、前記記録装置へのアクセスを禁止するアクセス禁止手段とを設けたものである。
【０００９】
このような記録装置の動作制御装置によれば、記録装置に対するアクセスの禁止は、ハードディスクドライブなどの記録装置の環境が所定の正常環境状態から逸脱したときに無条件に行うのではなく、リードエラーやライトエラーなどのアクセスエラーの発生レベルが所定レベルを超えて、実際に環境の劣化により記録装置へのアクセスの動作に支障が生じた時点で行う。したがって、個々の記録装置の耐環境性能を最大限に利用することができるようになる。
【００１０】
ここで、このような記録装置の動作制御装置においては、前記アクセス禁止手段が、前記アクセスを禁止した後に、前記検出装置が検出した前記環境の状態が、所定の正常環境状態に復帰した場合に、前記アクセスの禁止を解除するようにすることが好ましい。また、この場合には、さらに、前記アクセス禁止手段が前記アクセスを禁止した時点で行われていた前記記録装置へのアクセスを、前記アクセス禁止手段が前記アクセスの禁止を解除した後に再実行するアクセス再実行手段を備えるようにしてもよい。
【００１１】
このようにすることにより、環境の劣化に応じて記録装置のアクセスが中断してしまうことの不具合や不便等の程度を小さく押さえることができるようになる。
なお、以上の記録装置の動作制御装置において、前記検出装置が検出する前記記録装置の環境の状態としては、前記記録装置または前記記録装置の周辺の温度や、前記記録装置周辺の湿度や、前記記録装置に加わる振動レベルを用いることができる。
【００１２】
【発明の実施の形態】
以下、本発明の実施形態について、ハードディスクドライブ（ＨＤＤ）をオーディオファイルの記録装置として用いる車載オーディオシステムへの適用を例にとり説明する。
図１に、本実施形態に係るオーディオシステムの構成を示す。
図示するように、本実施形態に係るオーディオシステムは、オーディオ処理装置１、表示装置２、入力装置３、スピーカやオーディオアンプ装置などのオーディオ出力装置４、ＨＤＤ５、ＣＤ−ＡＵＤＩＯディスクや、ＭＤなどのデジタルオーディオデータを記録する記録媒体用のドライブ装置であるオーディオ媒体ドライブ６、デジタルオーディオ放送受信機その他の任意のデジタル又はアナログのオーディオ信号出力装置であるオーディオソース７、ＨＤＤ５の筺体温度を測定する温度センサやＨＤＤ５の周辺の湿度を測定する湿度センサやＨＤＤ５に加わる振動レベルを検知する加速度センサなどであるＨＤＤ環境センサ８とを有している。
【００１３】
そして、オーディオ処理装置１は、ＣＰＵ１１、不揮発性の記憶領域を有するメモリ１２、表示装置２に接続する表示インタフェース１３、オーディオ出力装置４に接続するオーディオ出力インタフェース１４、ＨＤＤ５に接続するＨＤＤインタフェース１５、オーディオ媒体ドライブ６に接続するオーディオ媒体ドライブインタフェース（図中では、ＡＭＤインタフェース）１６、オーディオソース７に接続するオーディオ入力インタフェース１７、入力装置３に接続する入力インタフェース１８、ＨＤＤ環境センサ８に接続するセンサインタフェース１９、以上の各部を接続するバス２０とを備えている。ここで、表示インタフェース１３、オーディオ出力インタフェース１４、ＨＤＤインタフェース１５、オーディオ媒体ドライブインタフェース１６、オーディオ入力インタフェース１７、入力インタフェース１８、センサインタフェース１９は、各々接続する装置と、オーディオ処理装置１との間との入出力を処理するものである。
【００１４】
次に、図２に、このようなオーディオ処理装置１の機能構成を示す。
図示するように、オーディオ処理装置１は、機能的には、オーディオデータを圧縮符号化するエンコーダ２７と圧縮符号化されたオーディオデータを復号するデコーダ２６とを備えたオーディオデータ処理アプリケーション２１、ＨＤＤ５の動作を制御するＨＤＤドライバ２４、オーディオ媒体ドライブ６を制御するオーディオ媒体ドライブドライバ（図中ではＡＭＤドライバ）２３、ＨＤＤ５の環境状態を監視するＨＤＤ監視部２５、オーディオファイルを記録するファイル記録部２８、ファイル記録部２８やＨＤＤ５やオーディオ媒体ドライブ６にマウントされたオーディオ記録媒体に配置されるオーディオファイルの管理とオーディオファイルのリード／ライトを制御するファイルシステム２２とを有する。なお、ファイル記録部２８はメモリ１２の記憶空間上に形成されるものであり、他部はＣＰＵ１１がメモリ１２の不揮発性の記憶領域に予め記録されているプログラムを実行することによりオーディオ処理装置１上にプロセスとして具現化するものである。なお、ファイル記録部２８の記憶空間として、メモリ１２の不揮発性の記憶領域を用いることが望ましい。また、ファイルシステム２２やＨＤＤドライバ２４やオーディオ媒体ドライブドライバ２３やＨＤＤ監視部２５は、オーディオ処理装置１のオペレーティングシステムの一部として、オーディオ処理装置１に実装されるものであってかまわない。
【００１５】
このような構成において、オーディオデータ処理アプリケーション２１は、ファイルシステム２２に要求を発行することによりＨＤＤ５やオーディオ媒体ドライブ６からオーディオファイルのオーディオデータを読み出し、必要に応じてデコーダ２６で復号してオーディオ出力装置４に出力する処理や、オーディオソース７からオーディオデータを取り込んで必要に応じてデコーダ２６で復号して、オーディオ出力装置４に出力する処理を行う。また、ファイルシステム２２に要求を発行することによりオーディオ媒体ドライブ６からオーディオファイルのオーディオデータを読み出し必要に応じてエンコーダ２７で圧縮符号化してＨＤＤ５にオーディオファイルとして格納したり、オーディオソース７からオーディオデータを取り込んで必要に応じてエンコーダ２７で圧縮符号化してＨＤＤ５にオーディオファイルとして格納する処理を行う。
【００１６】
ファイルシステム２２は、オーディオデータ処理アプリケーション２１の要求に応じて、ＨＤＤドライバ２４を介したＨＤＤ５に対するオーディオファイルのリード／ライトや、オーディオ媒体ドライブドライバ２３を介したオーディオ媒体ドライブ６に対するオーディオファイルのリード等の処理を制御する。また、ファイルシステム２２は、入力装置３を介したユーザ操作に応じて、ＨＤＤ５とオーディオ媒体ドライブ６間のオーディオファイルのコピーなどの処理も行う。
なお、オーディオ媒体ドライブドライバ２３は、オーディオ媒体ドライブ６に装着されたオーディオ媒体がファイル形式ではなくトラック等としてオーディオデータを記憶しているものである場合に、このようなトラック等をファイルシステム２２に対してファイルとしてエミュレートする処理なども行う。
【００１７】
以下、このようなオーディオ処理装置１において、ＨＤＤ５に対するアクセス動作を環境変化に応じて制御する動作について説明する。
この動作は、図３ａに手順を示すＨＤＤ監視部２５が行うＨＤＤ監視処理と、図３ｂに手順を示すファイルシステム２２が行うＨＤＤアクセス許可処理によって実現される。
図３ａに示すように、ＨＤＤ監視部２５が行うＨＤＤ監視処理では、起動すると、まず、エラーカウンタをゼロにリセットし（ステップ３０２）、その後、ＨＤＤ環境センサ８の出力が表すＨＤＤ環境が正常動作保証範囲内にあるかどうかを判定する（ステップ３０４）。ここでは、ＨＤＤ環境センサ８が検出したＨＤＤ５の筺体温度が予め定めた（たとえばＨＤＤ５の製造者が保証する）ＨＤＤ５の正常動作が保証される温度範囲から逸脱したか、ＨＤＤ環境センサ８が検出したＨＤＤ５の周辺の湿度の所定の湿度を超過したか、ＨＤＤ環境センサ８が検出したＨＤＤ５に加わる振動レベルが所定の振動レベルを超過した場合に、ＨＤＤ環境が正常動作保証範囲外にあると判定する。ただし、これらのうちの一つのみ、たとえば、ＨＤＤ５の筺体温度が、正常動作保証範囲から逸脱したことをもって、ＨＤＤ環境が正常動作保証範囲内にないと判定するようにしてもよい。
【００１８】
そして、ＨＤＤ環境が正常動作保証範囲内にあれば、ステップ３０３に戻ってエラーカウンタをリセットする。
一方、ＨＤＤ環境が正常動作保証範囲外となったならば、ＨＤＤ５のリードエラーとライトエラーの発生を監視し（ステップ３０６）、リードエラーかライトエラーといずれかが発生したならば、エラーカウンタを１増加する（ステップ３０８）。ここで、このリードエラーやライトエラーの発生は、ＨＤＤドライバ２４又はファイルシステム２２において行うＥＣＣチェック等のエラーチェック結果から検出するようにしても良い。なお、ＨＤＤ５がエラー報告機能を備えているものである場合には、このエラー報告に基づいてＨＤＤドライバ２４が出力するエラーメッセージに基づいて、リードエラーやライトエラーの発生を検出するようにしても良い。また、リードエラーかライトエラーが発生した場合、ファイルシステム２２はエラーが発生したリードまたはエラーをリトライする動作を行う。そして、所定回数以上エラーが続いたならば、リード又はライトの要求元であるオーディオデータ処理アプリケーション２１に、ＨＤＤ５に対するアクセスが失敗した旨を通知する動作を行う。
【００１９】
次に、エラーカウンタの値が所定のしきい値Ｔｈを超えたかどうかを調べ（ステップ３１０）、超えていなければステップ３０６のリードエラーとライトエラーの発生の監視に戻る。一方、エラーカウンタの値が所定のしきい値Ｔｈを超えたならば、ＨＤＤドライバ２４を介してＨＤＤ５の動作を停止し（ステップ３１２）、ファイルシステム２２にＨＤＤ停止報告を行う（ステップ３１４）。ただし、ＨＤＤ及びＨＤＤドライバ２４として、ＨＤＤ５の動作がＨＤＤドライバ２４を介して停止できないものを用いる場合などには、ＨＤＤ監視部２５から制御可能な、ＨＤＤ５への電源供給の遮断回路を設けて、ＨＤＤ５の動作の停止、稼働を制御するようにしても良い。また、ステップ３２のＨＤＤ５の動作停止は、これを行わないようにしてもよい。
【００２０】
そして、その後、ＨＤＤ監視部２５は、ＨＤＤ環境センサ８の出力が表すＨＤＤ環境が正常動作保証範囲内に復帰するのを待ち（ステップ３１６）、正常動作保証範囲内に復帰したならば、エラーカウンタをリセットし（ステップ３１８）、ＨＤＤドライバ２４や前述したような電源遮断回路を介してＨＤＤ５を起動し（ステップ３２０）、ＨＤＤ稼働再開報告をファイルシステム２２に通知し（ステップ３２２）、ステップ３０４のＨＤＤ環境が正常動作保証範囲内にあるかどうかの監視に戻る。ただし、ステップ３１２のＨＤＤ５の動作停止を行っていない場合には、ステップ３２０でＨＤＤ５の起動は行う必要がない。
【００２１】
一方、図３ｂに示すように、ファイルシステム２２は、起動すると、ＨＤＤアクセス制御処理において、まず、ＨＤＤアクセス許可設定を行う（ステップ３５２）。そして、リトライデータが存在するかどうかを調べる（ステップ３５４）。このリトライデータについては後述する。
【００２２】
そして、リトライデータが存在しない場合には、ＨＤＤ停止報告がＨＤＤ監視部２５から通知されるのを監視し（ステップ３５６）、ＨＤＤ停止報告が通知されたならば、ＨＤＤアクセス禁止を設定する（ステップ３５８）。ここで、ファイルシステム２２は、ＨＤＤアクセス禁止が設定されている期間は、ＨＤＤアクセス許可が設定されるまで、ＨＤＤ５へのファイルアクセスの要求を受け付けないよう動作する。ただし、ステップ３１２と３２０のＨＤＤ５の動作停止／起動を行う場合において、ファイルシステム２２がＨＤＤ５の起動／停止に応じてＨＤＤ５を自動的にマウント／アンマウントできるものである場合には、ＨＤＤアクセス許可と禁止の設定は行わなくとも良い。
【００２３】
次に、ファイルシステム２２は、表示装置２を介してユーザにＨＤＤ５に対するアクセスが停止したことをユーザに通知する（ステップ３６０）。また、ここでは、現在行っていたＨＤＤ５へのファイルアクセスが、オーディオファイルのコピー又はオーディオデータ処理アプリケーション２１からのＨＤＤ５への新規オーディオファイルの書き込みであった場合には、ＨＤＤ５の再稼働時にファイルアクセスをリトライするかどうかの選択もユーザから受け付ける。
【００２４】
そして、リトライしないことが選択された場合には（ステップ３６２）、オーディオデータ処理アプリケーション２１にファイルアクセスの失敗を通知して、そのままステップ３６４に進んで、ＨＤＤ監視部２５からＨＤＤ稼働再開報告が通知されるのを待ち、ＨＤＤ稼働再開報告が通知されたならば、ステップ３５２に戻って、ＨＤＤアクセス許可を設定し、以上の処理を繰り返す。
【００２５】
一方、リトライすることが選択された場合には（ステップ３６２）、現在行っていたＨＤＤ５へのファイルアクセスが、ＨＤＤ５からのオーディオファイルのコピーである場合には、オーディオファイルのコピー元のロケーションとコピー先のロケーションをリトライデータとしてメモリ１２の不揮発性の領域に格納する（ステップ３７４）。一方、現在行っていたＨＤＤ５へのファイルアクセスが、ＨＤＤ５へのオーディオファイルのコピーか、ＨＤＤ５への新規オーディオファイルの書き込みである場合には、まず、オーディオファイルの書き込み先をＨＤＤ５上のローケーションからファイル記録部２８の上のローケーションに変更して、そのオーディオファイルの書き込みを行い、書き込みを行ったファイル記録部２８の上のロケーションをオーディオファイルのコピー元のロケーション、オーディオファイルを書き込むべきであったＨＤＤ５上のロケーションをオーディオファイルのコピー先のロケーションとするリトライデータを、メモリ１２の不揮発性の領域に格納する（ステップ３７４）。ただし、現在行っていたＨＤＤ５へのファイルアクセスが、ＨＤＤ５へのオーディオファイルのコピーである場合には、単に、オーディオファイルのコピー元のロケーションとコピー先のロケーションをリトライデータとしてメモリ１２の不揮発性の領域に格納するだけとしても良い。
【００２６】
そして、ステップ３６４に進んで、ＨＤＤ監視部２５からＨＤＤ稼働再開報告が通知されるのを待ち、ＨＤＤ稼働再開報告が通知されたならば、ステップ３５３に戻って、ＨＤＤアクセス許可を設定し、以上の処理を繰り返す。
さて、ステップ３５４において、リトライデータが存在すると判定された場合、ファイルシステム２２は、リトライデータが示すコピー元とコピー先のロケーションにアクセスできるかを調べ（ステップ３６６）、アクセスできなかった場合（たとえばコピー元やコピー先であるオーディオ記録媒体がオーディオ媒体ドライブ６から外されていた場合）には、リトライ失敗を表示装置２を介してユーザに通知し（ステップ３７２）、リトライデータを削除し（ステップ３７０）、ステップ３５６に進む。一方、リトライデータが示すコピー元とコピー先のロケーションにアクセスできた場合には、そのコピー元のロケーションのオーディオファイルのとコピー先のロケーションへのコピーを行い（ステップ３６８）、リトライデータを削除した上で（ステップ３７０）、ステップ３５６に進む。
【００２７】
以上、本発明の実施形態について説明した。
以上のように本実施形態では、ＨＤＤ５のアクセスを禁止を、ＨＤＤ環境が所定の正常動作保証範囲から逸脱したときに無条件に行うのではなく、リードエラーやライトエラーの発生など実際に環境の劣化によりＨＤＤ５の動作に支障が生じた時点で行う。したがって、個々のＨＤＤ５の耐環境性能を最大限に利用することができるようになる。また、ＨＤＤ５のアクセスを禁止した時点に行っていたアクセスを、ＨＤＤ環境が正常状態に復帰しＨＤＤ５のアクセスの禁止を解除した後に再度行うようにしたので、環境劣化によりＨＤＤ５のアクセスが中断することによる不具合や不便等の程度を小さく押さえることができる。
【００２８】
ところで、以上では、ＨＤＤ環境が所定の正常動作保証範囲から逸脱した後にＨＤＤ５のリードまたはライトエラーが所定のしきい値となったかどうかを判定し、しきい値以上となったときに、アクセスの禁止の処理を行うするようにしたが、これは、ＨＤＤ環境が所定の正常動作保証範囲から逸脱した後にＨＤＤ５のリードまたはライトエラーの発生頻度を算出し、発生頻度が所定レベル以上となったときに、アクセスの禁止の処理を行うようにしてもよい。また、温度や湿度や振動レベルなどの着目する環境が、正常動作保証範囲外に設定したＨＤＤ５にとって、特段に厳しい所定の状況まで達したならば、リードまたはライトエラーの回数や頻度に関わらず、強制的にＨＤＤ５のアクセスを禁止する処理を併せて行うようにしても良い。
【００２９】
また、以上ではＨＤＤ５のアクセス禁止によって中断したＨＤＤ５へのファイルアクセスのリトライ（再実行）をファイルシステム２２で行うようにしたが、このようなリトライはオーディオデータ処理アプリケーション２１側で行うようにしても良い。また、この場合には、単なるオーディオファイルアクセスのリトライのみならず、たとえば、指定されたロケーションからオーディオファイルを読み込んで、圧縮復号化処理や復号化処理を施して、指定されたロケーションにオーディオファイルとして格納したり、オーディオ出力装置４に出力したりするような、ＨＤＤ５へのファイルアクセスを処理の一部として含むタスクを、リトライの対象として実行するようにしてかまわない。
【００３０】
また、以上の実施形態では、ＨＤＤ５への適用を例にとり示したが、以上の、環境に応じたＨＤＤ５のアクセスの禁止／解除やＨＤＤ５の停止／起動の技術や、リトライの技術はＨＤＤ５に限らず任意の記録装置に同様に適用可能である。
また、同様に、リードやライトの対象がオーディオファイル以外の任意のファイルやデータである場合にも同様に適用することができる。
【００３１】
【発明の効果】
以上のように、本発明によれば、記録装置の性能をより活用することのできるように、環境に応じた記録装置に対するアクセス動作の制御を行うことができる。
【図面の簡単な説明】
【図１】本発明の実施形態に係るオーディオシステムの構成を示すブロック図である。
【図２】本発明の実施形態に係るオーディオ処理装置の機能構成を示すブロック図である。
【図３】本発明の実施形態に係るハードディスクドライブの環境変化に応じた動作制御の手順を示すフローチャートである。
【符号の説明】
１：オーディオ処理装置、２：表示装置、３：入力装置、４：オーディオ出力装置、５：ＨＤＤ、６：オーディオ媒体ドライブ、７：オーディオソース、８：ＨＤＤ環境センサ、１１：ＣＰＵ、１２：メモリ、１３：表示インタフェース、１４：オーディオ出力インタフェース、１５：ＨＤＤインタフェース、１６：オーディオ媒体ドライブインタフェース、１７：オーディオ入力インタフェース、１８：入力インタフェース、１９：センサインタフェース、２０：バス、２１：オーディオデータ処理アプリケーション、２２：ファイルシステム、２３：オーディオ媒体ドライブドライバ、２４：ＨＤＤドライバ、２５：ＨＤＤ監視部、２６：デコーダ、２７：エンコーダ、２８：ファイル記録部。
【図１】
2004259324.tif 000003
【図２】
2004259324.tif 000004
【図３】
2004259324.tif 000005